(57)【要約】【課題】ヒートポンプ装置の装着が容易な空調装置を提供すること。【解決手段】凝縮器９や蒸発器１０は、蛇行管１３に複数のフィン１４が装着されたプレートフィン型熱交換器から構成され、かつ、蛇行管１３の折り返し部位であるＵ字部１５がフィン１４の最も外側に装着されたフィン１６よりも突出した構成を有し、圧縮機８は、凝縮器９や蒸発器１０の一方の側方に配設され、凝縮器９や蒸発器１０の他方の側方と下ケース４とが対向する領域において、下ケース４の上面の高さが凝縮器９や蒸発器１０の上面の高さよりも、同等もしくはそれ以上であり、この領域において、下ケース４が、外方に膨出した膨出部２０を有する。下ケース４と凝縮器９や蒸発器１０のＵ字部１５との間に充分な空間が形成され、ヒートポンプ装置１２の装着の際に、Ｕ字部１５を持った作業者の指等が入り、装着を容易に行うことができる。【選択図】図２
2014025670.tif 000002
【特許請求の範囲】
【請求項１】
上ケースおよび下ケースからなり、吸気口および排気口を有するケースと、
前記ケース内に収容され、圧縮機、凝縮器、蒸発器等からなるヒートポンプ装置と、を備え、
前記凝縮器および／または前記蒸発器は、蛇行管に複数のフィンが装着されたプレートフィン型熱交換器から構成され、かつ、前記蛇行管の折り返し部位であるＵ字部が前記フィンの最も外側に装着されたフィンよりも突出した構成を有し、
前記圧縮機は、前記凝縮器および／または前記蒸発器の一方の側方に配設され、
前記凝縮器および／または前記蒸発器の他方の側方と前記下ケースとが対向する領域において、前記下ケースの上面の高さが前記凝縮器および／または前記蒸発器の上面の高さよりも、同等もしくはそれ以上であり、
前記領域において、前記下ケースが、外方に膨出した膨出部を有することを特徴とする空調装置。
【請求項２】
前記下ケースの上面は略同一面で構成された請求項１に記載の空調装置。
【請求項３】
請求項１または２に記載の空調装置を搭載した衣類乾燥機。
【発明の詳細な説明】
【技術分野】
【０００１】
本発明は、衣類乾燥機等に用いられる、ヒートポンプ式の空調装置に関する。
【背景技術】
【０００２】
従来の衣類乾燥機に用いられる、ヒートポンプ式の空調装置は、上ケースおよび下ケースからなり、吸気口および排気口を有するケースと、ケース内に収容され、圧縮機、凝縮器、蒸発器等からなるヒートポンプ装置と、を備える。凝縮器および蒸発器は、蛇行管に複数のフィンが装着されたプレートフィン型熱交換器から構成され、かつ、蛇行管の折り返し部位であるＵ字部がフィンの最も外側に装着されたフィンよりも突出した構成を有する。圧縮機は、凝縮器および蒸発器の一方の側方に配設される（例えば特許文献１参照）。
【０００３】
特許文献１に記載の空調装置は、空調装置の小型化を実現させるために、小型のケースが用いられる。このため、凝縮器および蒸発器の他方の側方と下ケースとが近接して対向する。
【先行技術文献】
【特許文献】
【０００４】
【特許文献１】特開２００８−７９８６１号公報
【発明の概要】
【発明が解決しようとする課題】
【０００５】
空調装置の製造工程において、ヒートポンプ装置を下ケースに装着する際には、作業者等は、凝縮器および蒸発器の蛇行管の折り返し部位であるＵ字部を持って、上から下へヒートポンプ装置を降ろして装着する。
【０００６】
特許文献１に記載の空調装置は、凝縮器および蒸発器の圧縮機側のＵ字部の近傍には充分な空間を有する。しかしながら、凝縮器および蒸発器の他方のＵ字部の近傍は、下ケースと近接するため、充分な空間を有しない。すなわち、作業者の指等が入らないため、ヒートポンプ装置の装着が困難である。
【０００７】
本発明は、上記課題を解決するものであり、ヒートポンプ装置の装着が容易な空調装置を提供することを目的とする。
【課題を解決するための手段】
【０００８】
本発明の空調装置は、上ケースおよび下ケースからなり、吸気口および排気口を有するケースと、ケース内に収容され、圧縮機、凝縮器、蒸発器等からなるヒートポンプ装置と、を備え、凝縮器および／または蒸発器は、蛇行管に複数のフィンが装着されたプレートフィン型熱交換器から構成され、かつ、蛇行管の折り返し部位であるＵ字部がフィンの最も外側に装着されたフィンよりも突出した構成を有し、圧縮機は、凝縮器および／または蒸発器の一方の側方に配設され、凝縮器および／または蒸発器の他方の側方と下ケースとが対向する領域において、下ケースの上面の高さが凝縮器および／または蒸発器の上面の高さよりも、同等もしくはそれ以上であり、この領域において、下ケースが、外方に膨出した膨出部を有する。
【０００９】
この構成により、下ケースと凝縮器および／または蒸発器のＵ字部との間に充分な空間が形成され、ヒートポンプ装置の装着の際に、Ｕ字部を持った作業者の指等が入る。
【発明の効果】
【００１０】
本発明の空調装置は、ヒートポンプ装置の装着を容易に行うことができる。
【図面の簡単な説明】
【００１１】
【図１】本発明の実施の形態における空調装置の構成図
【図２】同空調装置の内部を示す斜視図
【図３】同空調装置の断面図
【図４】同空調装置を搭載した衣類乾燥機の側断面を示す構成図
【発明を実施するための形態】
【００１２】
以下、図面を参照しつつ、本発明の実施の形態について説明する。なお、本実施の形態によって本発明が限定されるものではない。
【００１３】
図１は、本実施の形態における空調装置の構成図である。空調装置１の外殻を構成するケース２は、上ケース３および下ケース４からなる。上ケース３と下ケース４との接合部５には、シール材（図示せず）が設けられ、気密性が保持される。図２は、空調装置１の内部を示す斜視図である。すなわち、図２は、図１における、上ケース３を取り除いた状態を示す。ケース２は、吸気口６および排気口７を有する。ケース２の内部には、圧縮機８、凝縮器９、蒸発器１０、膨張弁（図示せず）を配管１１によって連通したヒートポンプ装置１２が収容される。
【００１４】
凝縮器９と蒸発器１０の少なくとも一方は、蛇行管１３に複数のフィン１４が装着された、プレートフィン型熱交換器によって構成される。このプレートフィン型熱交換器は、蛇行管１３の折り返し部位であるＵ字部１５が、最も外側に装着されたフィン１６よりも突出して構成される。なお、図においては、一部のフィン１４のみを明示的に図示したが、プレートフィン型熱交換器の全域に渡って、フィン１４が多数、装着される。
【００１５】
圧縮機８は、プレートフィン型熱交換器の一方の側方に配設される。ここで、一方の側方とは、プレートフィン型熱交換器を構成する蛇行管１３の長手方向の側方である。例えば、図２においては、圧縮機８は、プレートフィン型熱交換器の右側に配設される。
【００１６】
図３は、空調装置１の断面図である。図３において、蒸発器１０は、吸い込み面である正面を向く。すなわち、フィン１４は図３の横方向に並ぶ。吸気口６からケース２内に入った空気、すなわち図３において正面から入った空気は、蒸発器１０によって除湿され、その後、凝縮器９によって加熱され、高温かつ乾燥した空気になる。この空気が排気口７から排気され、後述する衣類の乾燥に用いられる。
【００１７】
下ケース４の上面１７の高さと、凝縮器９と蒸発器１０の少なくとも一方を構成するプレートフィン型熱交換器の上面１８の高さとは、同等の高さを有する。プレートフィン型熱交換器の他方の側方、すなわち圧縮機８が配設されない側の側方と、下ケース４とが対向する領域１９において、下ケース４は、外方に膨出した膨出部２０を有する。
【００１８】
ここで、空調装置１の製造工程における、ヒートポンプ装置１２の下ケース４への装着について説明する。作業者等は、プレートフィン型熱交換器である凝縮器９および／または蒸発器１０の蛇行管１３の折り返し部位であるＵ字部１５を持つ。その後、作業者等は、ヒートポンプ装置１２を上から下へ降ろして、下ケース４に装着する。このとき、プレートフィン型熱交換器の、圧縮機８が配設されない側のＵ字部１５を持つ作業者の指等は、膨出部２０に入る。すなわち、ヒートポンプ装置１２を装着する際に、作業者の指等が、下ケース４と干渉しない。言い換えれば、下ケース４は、装着の際に作業者の指等が入る充分な空間を有する。この構成により、ヒートポンプ装置１２の、下ケース４への装着が容易となる。従って、本願発明の空調装置１は製造が容易となる。
【００１９】
上述のとおり、下ケース４の上面１７の高さと、プレートフィン型熱交換器の上面１８の高さとが、同等の高さを有する場合について説明した。一方、下ケース４の上面１７の高さが、プレートフィン型熱交換器の上面１８の高さよりも高い場合も、蛇行管１３を持った作業者の指等が入り難いと言う従来の課題は生じる。従って、下ケース４の上面１７の高さが、プレートフィン型熱交換器の上面１８の高さよりも高い場合も、同様に、本願発明の特有の作用効果を奏する。
【００２０】
また、下ケース４の上面１７の高さと、プレートフィン型熱交換器の上面１８の高さとの関係について、下ケース４の上面１７が略同一面で構成された場合について図示して説明した。下ケース４の上面１７が略同一面で構成された場合、上ケース３と下ケース４との接合部５は、屈曲が無い、あるいは屈曲が少ない構成となる。この構成により、接合部に屈曲が多い場合に比べて、シール材による気密性がより確保される。一方、プレートフィン型熱交換器の他方の側方、すなわち圧縮機８が配設されない側の側方と、下ケース４とが対向する領域１９において、上記の高さ関係を有した場合は、蛇行管１３を持った作業者の指等が入り難いと言う従来の課題は生じる。従って、少なくとも、プレートフィン型熱交換器の他方の側方と下ケース４とが対向する領域１９とにおいて、下ケース４の上面１７の高さが、プレートフィン型熱交換器の上面１８の高さよりも、同等もしくはそれ以上の場合も、同様に、本願発明の特有の作用効果を奏する。
【００２１】
図４は、本発明の実施の形態における空調装置１を搭載した衣類乾燥機２１の側断面を示す構成図である。衣類乾燥機２１は、筐体２２の内部に、ドラム２３と、ケース２に収容されたヒートポンプ装置１２とファン２４とを有する。衣類乾燥機２１に設けられたドア２５を開けることにより、ドラム２３の内部に被乾燥衣類を収容することができる。ドラム２３は、モータ２６によって、プーリ２７やベルト２８を介して回転する。
【００２２】
筐体２２の下方に配設されたヒートポンプ装置１２は、圧縮機８、凝縮器９、蒸発器１０等から構成され、内部に冷媒が循環する。ファン２４が動作することにより、矢印に示すような空気の流れが発生する。吸気口６からケース２の内部に入った空気は、蒸発器１０によって除湿され、凝縮器９によって加熱され、乾燥した温風となる。この温風が排気口７から、ファン２４、ダクト２９を通って、ドラム２３の内部に入る。ドラム２３の回転によって撹拌する被乾燥衣類に、この温風が当たることにより、衣類が乾燥する。衣類を乾燥させた温風は、ドア２５に設けられたフィルタ３０を通り、再び吸気口６からケース２に入る。このようにして、空気が循環する。なお、ファン２４は、モータ２６によって、プーリ３１やベルト３２を介して回転する。
【００２３】
衣類乾燥機２１に搭載される空調装置１は、上述のとおり製造が容易であるため、衣類乾燥機２１を安価に製造することができる。
【産業上の利用可能性】
【００２４】
以上のように、本発明にかかる空調装置は、ヒートポンプ装置の装着が容易であるため、ヒートポンプを利用した機器に利用可能である。
【符号の説明】
【００２５】
１  空調装置
２  ケース
３  上ケース
４  下ケース
５  接合部
６  吸気口
７  排気口
８  圧縮機
９  凝縮器
１０  蒸発器
１１  配管
１２  ヒートポンプ装置
１３  蛇行管
１４  フィン
１５  Ｕ字部
１６  最も外側に装着されたフィン
１７  下ケースの上面
１８  プレートフィン型熱交換器の上面（凝縮器および／または蒸発器の上面）
１９  領域
２０  膨出部
２１  衣類乾燥機
２２  筐体
２３  ドラム
２４  ファン
２５  ドア
２６  モータ
２７  プーリ
２８  ベルト
２９  ダクト
３０  フィルタ
３１  プーリ
３２  ベルト
【図１】
2014025670.tif 000003
【図２】
2014025670.tif 000004
【図３】
2014025670.tif 000005
【図４】
2014025670.tif 000006